(57)【要約】【課題】吊り干乾燥の構造部分が邪魔にならず、洗濯物の乾燥皺を抑え、短時間で乾燥できる洗濯乾燥機を提供することである。【解決手段】洗濯乾燥機１は、上方に開口した開口部を有している外箱１０と、外箱１０の内側に設けられ、開口部を介して洗濯物が入れられる脱水槽３０と、外箱１０に、ヒンジ機構によって上下に回動可能となるように取り付けられており、該回動によって開口部を開閉する蓋部１５と、蓋部１５の内側に設けられ、蓋部１５に沿った収納状態と蓋部１５から突出した使用状態とを取り、使用状態で乾燥対象物を支持し、使用状態で蓋部１５を開閉した場合に他の部材に接触しない複数の支持部１８、１９と、を備え、脱水槽３０に入れられた洗濯物を洗濯する洗濯動作、および、支持部１８、１９から脱水槽３０内に向けて吊り下げられた乾燥対象物を乾燥させる吊り干乾燥動作を行う構成とする。【選択図】図１
2013172822.tif 000002
【特許請求の範囲】
【請求項１】
上方に開口した開口部を有している外筐部と、
前記外筐部の内側に設けられ、前記開口部を介して洗濯物が入れられる槽部と、
前記外筐部に、ヒンジ機構によって上下に回動可能となるように取り付けられており、該回動によって前記開口部を開閉する蓋部と、
前記蓋部の内側に設けられ、前記蓋部に沿った収納状態と前記蓋部から突出した使用状態とを取り、該使用状態で乾燥対象物を支持し、該使用状態で前記蓋部を開閉した場合に他の部材に接触しない複数の支持部と、を備え、
前記槽部に入れられた洗濯物を洗濯する洗濯動作、および、前記支持部から前記槽部内に向けて吊り下げられた乾燥対象物を乾燥させる吊り干乾燥動作を行う洗濯乾燥機。
【請求項２】
前記支持部は、前記蓋部に、ヒンジ機構によって回動可能となるように取り付けられており、該回動によって前記収納状態と前記使用状態とを取り得ることを特徴とする請求項１記載の洗濯乾燥機。
【請求項３】
前記蓋部を閉じた状態で、複数の前記支持部は、前記槽部の中心より前方と後方に位置することを特徴とする請求項１又は２記載の洗濯乾燥機。
【請求項４】
前記前方と後方にそれぞれ一対の前記支持部が位置することを特徴とする請求項３記載の洗濯乾燥機。
【請求項５】
前記後方に位置する一対の支持部の間隔が、前記前方に位置する一対の支持部の間隔より大きいことを特徴とする請求項４記載の洗濯乾燥機。
【請求項６】
前記後方に位置する支持部の長さが、前記前方に位置する支持部の長さより長いことを特徴とする請求項３〜５の何れかに記載の洗濯乾燥機。
【請求項７】
前記後方に位置する支持部の長さが可変であることを特徴とする請求項３〜６の何れかに記載の洗濯乾燥機。
【請求項８】
前記支持部を構成する重なった棒状部材がヒンジ機構によって長さが可変となっていることを特徴とする請求項７記載の洗濯乾燥機。
【請求項９】
前記支持部は、乾燥対象物を挟持して支持する挟持部を有することを特徴とする請求項１〜８の何れかに記載の洗濯乾燥機。
【請求項１０】
前記吊り干乾燥動作は、通常乾燥モードと、該通常乾燥モードより強風とした高速乾燥モードとを有することを特徴とする請求項１〜９の何れかに記載の洗濯乾燥機。
【発明の詳細な説明】
【技術分野】
【０００１】
本発明は、衣類などの洗濯や乾燥に用いられる洗濯乾燥機に関する。
【背景技術】
【０００２】
従来、衣類などの洗濯や乾燥に用いられる洗濯乾燥機が広く利用されている。多くの洗濯乾燥機は、上方に開口した開口部を有する外筐部と、外筐部の内側に設けられ、開口部を介して洗濯物が出し入れされる槽部（例えば脱水槽）と、外筐部にヒンジ機構によって上下に回動可能となるように取り付けられており、該回動によって開口部を開閉する蓋部と、を備えた構成となっている。
【０００３】
これにより洗濯乾燥機は、蓋部を開けて洗濯物の出し入れ等が可能であるとともに、蓋部を閉じて内部を閉空間とすることが可能である。また洗濯乾燥機は、槽部内に供給された水を攪拌翼（パルセータ）を用いて撹拌することによって洗濯動作を行い、槽部内に温風を供給することによって乾燥動作を行う。
【０００４】
また洗濯乾燥機としては、内部にハンガー等を用いて衣類を吊り下げておき、この衣類を乾燥させること（吊り干乾燥）が可能なものも提案されている。吊り干乾燥によれば、槽部の底に積まれている衣類を乾燥させるような場合に比べて、一般的に乾燥効率が良く、また、皺等が付き難いため、好ましい状態での仕上がりが期待される。
【０００５】
例えば特許文献１には、洗濯槽を備えその上方に開口部を有する洗濯機本体と、開口部を覆うように設けられ出し入れ口を有する蓋体と、洗濯槽内に熱風を供給する熱風供給装置と、蓋体の出し入れ口にこれを開閉すべく枢設された開閉蓋と、蓋体の下面部にその出し入れ口と対応するように設けられたハンガーとを具備した洗濯機が開示されている。
【０００６】
また特許文献２には、内槽の上面開口の内側周縁部に内方へ突出した弧状又は環状のフランジと、内槽の上面開口を直径方向に横切ってフランジの対向部に両端部が載置されるハンガーを備え、乾燥モードではオゾン発生装置にて生成したオゾンが空気循環用送風機の運転にて内槽内へ供給され、ハンガーに掛けた洗濯物の除菌・消臭を行う乾燥機能付き洗濯機が開示されている。
【先行技術文献】
【特許文献】
【０００７】
【特許文献１】特開平１−２４９０９７号公報
【特許文献２】特開２０１１−２４９９０号公報
【発明の概要】
【発明が解決しようとする課題】
【０００８】
しかしながら、特許文献１ではハンガーの４本の吊下げ部にそれぞれ乾燥対象物を吊り下げる構成になっており、また、特許文献２ではハンガーの両端を内槽の上面開口部分に載せて固定する構成になっているため、どちらも乾燥対象物を折り畳んで吊り下げることになる。そのため、乾燥対象物の内側が外側よりも乾きにくく、乾燥に時間がかかるという問題がある。
【０００９】
また、特許文献１及び２では洗濯時にはハンガーを取り外し、乾燥時にハンガーを取り付けなければならないため手間がかかる。また、特許文献２では取り外したハンガーの置き場所に困ったり、ハンガーを紛失したりするおそれもある。
【００１０】
本発明は、吊り干乾燥の構造部分が邪魔にならず、洗濯物の乾燥皺を抑え、短時間で乾燥できる洗濯乾燥機を提供することを目的とする。
【課題を解決するための手段】
【００１１】
上記目的を達成するために本発明の洗濯乾燥機は、上方に開口した開口部を有している外筐部と、前記外筐部の内側に設けられ、前記開口部を介して洗濯物が入れられる槽部と、前記外筐部に、ヒンジ機構によって上下に回動可能となるように取り付けられており、該回動によって前記開口部を開閉する蓋部と、前記蓋部の内側に設けられ、前記蓋部に沿った収納状態と前記蓋部から突出した使用状態とを取り、該使用状態で乾燥対象物を支持し、該使用状態で前記蓋部を開閉した場合に他の部材に接触しない複数の支持部と、を備え、前記槽部に入れられた洗濯物を洗濯する洗濯動作、および、前記支持部から前記槽部内に向けて吊り下げられた乾燥対象物を乾燥させる吊り干乾燥動作を行う構成とする。
【００１２】
この構成によれば、複数の支持部で乾燥対象物を支持して吊り干し乾燥動作を行うことができる。
【００１３】
上記の洗濯乾燥機において、前記支持部は、例えば、前記蓋部に、ヒンジ機構によって回動可能となるように取り付けられており、該回動によって前記収納状態と前記使用状態とを取り得るようにしてもよい。
【００１４】
また上記の洗濯乾燥機において、前記蓋部を閉じた状態で、複数の前記支持部は、前記槽部の中心より前方と後方に位置することが望ましい。これにより、衣類が槽内に触れにくく、且つ十分な乾燥スペースを確保することができる。例えば、前記前方と後方にそれぞれ一対の前記支持部が位置することが望ましい。
【００１５】
また上記の洗濯乾燥機において、前記後方に位置する一対の支持部の間隔が、前記前方に位置する一対の支持部の間隔より大きいことが望ましい。これにより、衣類が槽内に触れにくく、且つ十分な乾燥スペースを確保することができる。
【００１６】
また上記の洗濯乾燥機において、前記後方に位置する支持部の長さが、前記前方に位置する支持部の長さより長いことが望ましい。これにより、様々な長さの乾燥対象物を槽底に触れさせずに支持できる。
【００１７】
また上記の洗濯乾燥機において、前記後方に位置する支持部の長さが可変であることが望ましい。これにより、よりコンパクトな収納状態とすることができる。例えば、前記支持部を構成する重なった棒状部材がヒンジ機構によって長さが可変となるようにすることができる。
【００１８】
また上記の洗濯乾燥機において、前記支持部は、乾燥対象物を挟持して支持する挟持部を有することで、衣類の脱着が容易となる。
【００１９】
また上記の洗濯乾燥機において、前記吊り干乾燥動作は、通常乾燥モードと、該通常乾燥モードより強風とした高速乾燥モードとを有することが望ましい。高速乾燥モードによれば、より短時間で乾燥でき、より乾燥皺も抑制できる。
【発明の効果】
【００２０】
本発明によると、蓋部の内側に、収納状態と使用状態とを取り、該使用状態で乾燥対象物を支持し、使用状態で蓋部を開閉した場合に他の部材に接触しない複数の支持部を設けることにより、収納状態及び蓋部の開閉時に支持部が邪魔にならず、洗濯物の乾燥皺を抑え、短時間で乾燥させることができる。
【図面の簡単な説明】
【００２１】
【図１】本発明の一実施形態の洗濯乾燥機の右側断面図である。
【図２】蓋部の内側の正面図である。
【図３】図２の左側面図である。
【図４】図３において支持部を使用状態にした図である。
【図５】挟持部の左側面図である。
【図６】支持部への衣類の吊り下げ方の一例を示す図である。
【図７】支持部への衣類の吊り下げ方の一例を示す図である。
【図８】支持部への衣類の吊り下げ方の一例を示す図である。
【発明を実施するための形態】
【００２２】
以下、本発明の実施形態について、図面を参照しながら詳述する。図１は、本発明の一実施形態の洗濯乾燥機の主な構造を理解容易とするため、蓋部１５と上面板１１より下側の部分とについて概略化した洗濯乾燥機の右側断面図を示したものである。なお、図１は、蓋部１５が開かれた状態、中間の状態、閉じられた状態を表している。
【００２３】
洗濯乾燥機の全体的な構成等について説明する。洗濯乾燥機１は全自動型であり、直方体形状の外箱１０を備えている。外箱１０は、略直方体に成形され、その上側は開放されている。外箱１０の上側の開放部は上面板１１で覆われている。
【００２４】
上面板１１の前部には、洗濯乾燥機の操作を受け付ける操作部（操作ボタン等）が設けられている。上面板１１の背面側にはバックパネル１４が装着される。
【００２５】
上面板１１の中央部には、洗濯乾燥機１内に洗濯物を投入するための出入口（開口部）１１ａが設けられている。出入口１１ａは、バックパネル１４の前端部に設けたヒンジ部１５ａで枢支される蓋部１５によって開閉される。ヒンジ部１５ａは、洗濯乾燥機１の前後方向の中心より後側の位置に設けられている。
【００２６】
蓋部１５の周縁にはパッキン（不図示）が設けられ、蓋部１５の全閉状態では、出入口１１ａと蓋部１５との間が密封される。なお蓋部１５の前側には、全閉時に上面板１１の前側上部に引っ掛けて蓋部１５を係止（ラッチ）することが可能な、爪（不図示）が設けられている。爪が上面板１１に引っ掛かっている状態では、蓋部１５は、上向きの力が加わっても開かないようになっている。
【００２７】
蓋部１５は、ヒンジ部１５ａの軸を中心にして、上下方向（前後方向と見ることも出来る）に回動可能となっている。なお以下の説明では、蓋部１５の回動方向の位置を、水平面を基準（０°）とした角度（開く方向を正とし、以下では「蓋部１５の角度」と称することがある）で表す。蓋部１５は、０°よりやや小さい位置（全閉の位置）Ｃから、９０°よりやや大きい位置（全開の位置）Ａまでの範囲内で、回動可能となっている。
【００２８】
これによりユーザは、蓋部１５を上方向へ回動させて蓋部１５を開き、下方向へ回動させて蓋部１５を閉じることが可能である。蓋部１５が開かれている状態（換言すれば、出入口１１ａが開かれている状態）では、ユーザは、脱水槽３０に洗濯物などを投入したり、脱水槽３０から洗濯物などを取り出したりすることができる。
【００２９】
また蓋部１５における出入口１１ａに対向する面（内側の面）には、衣類（乾燥対象物）２、３を掛けるための４つの支持部１８、１８、１９、１９が設けられている。支持部１８、１９の詳細については後述する。これによりユーザは、蓋部１５を開けた状態で、衣類２、３を支持部１８、１９に取り付けたり、外したりすることが可能である。したがって、吊り干乾燥させる際の作業性が良い。
【００３０】
この状態から、ユーザによって蓋部１５が閉じられる（換言すれば、出入口１１ａが閉じられる）ことにより、脱水槽３０内において衣類を吊り下げた状態とすることが可能である。後述する通り洗濯乾燥機１は、支持部１８、１９に吊り下げられた衣類２、３に対し、吊り干乾燥を行うことが可能となっている。
【００３１】
また上面板１１における出入口１１ａに臨む部分であって、かつ、ヒンジ部１５ａの近傍である部分（洗濯乾燥機１の前後方向の中心より後側の位置）には、保持機構（不図示）が設けられている。保持機構は、必要に応じて、棒状の可動部を蓋部１５に向けて突出させることが可能であり、蓋部１５に支持することにより、蓋部１５を開いた中間の状態（例えば４５°）Ｂに保持するための機構である。
【００３２】
そして、蓋部１５が中間の状態Ｂで、ユーザは、乾燥対象物である衣類２、３を支持部１８、１９に取り付けることができる。このとき、蓋部１５を手などで支えておかなくても、蓋部１５はほぼ４５°の位置に保持されるため、ユーザにとって、支持部１８、１９に衣類２、３を取り付ける作業は容易となっている。すなわち、吊り干乾燥させる際の作業性が良い。
【００３３】
外箱１０の内部には、洗濯槽を兼ねる脱水槽３０と、脱水槽３０を収容する水槽２０が収容される。脱水槽３０は、洗剤を溶かした水またはすすぎ用の水（以下これらを総称して「洗濯水」という）を溜める。水槽２０及び脱水槽３０は、ともに上方に向けて開口した有底筒状のカップの形状を呈しており、各々軸線を垂直にして水槽２０を外側、脱水槽３０を内側とする形で同心的に配置される。
【００３４】
水槽２０は、サスペンション部材２１によって吊り下げられる。サスペンション部材２１は、水槽２０の外面下部と外箱１０の内面コーナー部とを連結する形で計４箇所に配備され、水槽２０を水平面内で揺動できるように支持している。
【００３５】
脱水槽３０は上方にテーパ状に広がる周壁を有し、この周壁にはその最上部に環状に配置した複数個の脱水孔３１を除いて、液体を通すための開口部はない。即ち、脱水槽３０はいわゆる「孔なし」タイプに形成される。脱水槽３０の上部開口部の縁には、洗濯物の脱水のため脱水槽３０を高速回転させたときに振動を抑制する働きをする、環状のバランサ３２が装着される。脱水槽３０の内部底面には、槽内で洗濯水の流動を生じさせるためのパルセータ３３が配置される。
【００３６】
水槽２０の下面には、駆動ユニット４０が取り付けられる。駆動ユニット４０はモータ４１及びクラッチ・ブレーキ機構４３を有している。クラッチ・ブレーキ機構４３は、モータ４１にベルト４２で連結され、脱水軸４４及びパルセータ軸４５が上方に突出する。クラッチ・ブレーキ機構４３は電磁力で動作し、脱水軸４４及びパルセータ軸４５の一方を、択一的にモータ４１に連結する。また、クラッチ・ブレーキ機構４３は電磁力によって脱水軸４４の回転にブレーキを掛けるとともに、ブレーキを解除する。
【００３７】
脱水軸４４とパルセータ軸４５は二重軸構造となっており、脱水軸４４が外側に配されてパルセータ軸４５が内側に配される。脱水軸４４は、水槽２０を貫通して脱水槽３０に連結され、脱水槽３０を軸支する。パルセータ軸４５は、水槽２０及び脱水槽３０を貫通してパルセータ３３に連結され、パルセータ３３を軸支する。脱水軸４４と水槽２０との間、及び脱水軸４４とパルセータ軸４５との間には、各々水もれを防ぐためのシール部材が配置される。
【００３８】
上面板１１の下側には、側面が蛇腹状である略筒形状の連結部品１７が固定されている。連結部品１７によって、脱水槽３０の回転等による水槽２０の振動が吸収されるように、上面板１１と水槽カバー２０ａとが連結されている。
【００３９】
また、上面板１１及び連結部品１７により、出入口１１ａの周囲と水槽２０の上面との間を遮蔽する遮蔽部が構成される。遮蔽部によって水槽２０と出入口１１ａとの間に密封空間が形成される。これにより、水槽２０の上面を開閉する内蓋を必要とせず、蓋部１５を閉じて洗濯及び乾燥を行うことができる。
【００４０】
外箱１０の後部の上面板１１上には、乾燥ユニットが設置されている。乾燥ユニットは、送風機やヒータなどを備えており、吊り干乾燥動作の実行時に、脱水槽３０の内周壁に沿って温風を吹き出す（脱水層３０内に温風を供給する）機能を有している。
【００４１】
また上面板１１における後側の部分には、給水口が設けられている。給水口は給水弁を介して市水に接続される。このように給水口及び給水弁は、脱水槽３０に給水する給水部を構成する。なお給水口は、埃などの異物が内部に入らないように配慮されている。
【００４２】
水槽２０の底部には、水槽２０及び脱水槽３０内の水を外箱１０の外部に排水する、排水ホース６０が取付けられている。脱水槽３０には、排水孔６２が同一円周上に４箇所設けられ、各排水孔６２と排水ホース６０との間は、排水ダクト６１により連結される。排水ダクト６１内には、排水弁６３が設けられる。排水弁６３を開くと、排水ダクト６１及び排水ホース６０を介して、脱水槽３０内の水が排水される。また、脱水時に脱水槽３０の上部から流出した水は、水槽２０の周壁と脱水槽３０の周壁との間を通って、排水ホース６０から排水される。
【００４３】
また洗濯乾燥機１は、蓋部１５の開閉状態を検知する蓋開閉センサ、脱水槽３０の水位を検知する水位センサ、脱水槽３０の内部の温度を検知する温度センサ、および脱水槽３０の内部の湿度を検知する湿度センサといった、各種のセンサが備えられている。
【００４４】
また洗濯乾燥機１には、ユーザの操作や各種センサの検出情報などに応じ、洗濯乾燥機１が適切に動作するように各部を制御する、制御装置が備えられている。当該制御装置は、例えば外箱１０の背面上部に配されており、モータ４１や乾燥ユニットなどを制御するようになっている。
【００４５】
上記構成の洗濯乾燥機１においては、出入口１１ａから脱水槽３０に洗濯物が入れられ、蓋部１５が閉じられる。ユーザによって洗濯条件が選択され、洗濯の開始が指示されると、蓋開閉センサにより蓋部１５が閉じたことを検知して、洗濯工程の動作が実行される。
【００４６】
洗濯工程では、排水弁６３を閉じて給水弁が開かれ、給水口から脱水槽３０に給水する。脱水槽３０に所定量の水が溜まると、水位センサの検知によって給水弁が閉じられる。次に、クラッチ・ブレーキ機構４３により、パルセータ軸４５をモータ４１に連結してモータ４１を駆動する。これにより、パルセータ３３が回転し、脱水槽３０の中の水を攪拌して洗濯動作が行われる。
【００４７】
洗濯工程を開始して所定時間が経過すると、排水弁６３を開いて脱水槽３０内の水が排水され、クラッチ・ブレーキ機構４３により、脱水軸４４がモータ４１に連結される。これにより、モータ４１の駆動によって脱水槽３０が高速回転して脱水動作が行われる。脱水槽３０の高速回転によって洗濯物から飛散した水は、排水ダクト６１及び脱水孔３１から流出する。
【００４８】
脱水動作を開始して所定時間が経過すると、モータ４１が停止され、排水弁６３を閉じて給水弁が開かれる。脱水槽３０に所定量の水が溜まると、水位センサの検知によって給水弁が閉じられる。次に、クラッチ・ブレーキ機構４３により、パルセータ軸４５をモータ４１に連結してモータ４１を駆動する。これにより、パルセータ３３が回転し、脱水槽３０の中の水を攪拌してすすぎ動作が行われる。
【００４９】
すすぎ動作を開始して所定時間が経過すると、上記の脱水動作が再度行われる。そして、脱水動作が所定時間行われると、洗濯工程が終了する。また洗濯乾燥機１は、ユーザによる吊り干乾燥動作の実行指示がなされたときには、吊り干乾燥動作を開始する。
【００５０】
吊り干乾燥動作は、温風を脱水槽３０内に供給して循環させることにより、吊り下げられた衣類の乾燥（吊り干乾燥）を行う動作である。すなわち洗濯乾燥機１は、予め衣類が吊り下げられた状態にて吊り干乾燥動作を行うことにより、当該衣類の吊り干乾燥を実現させる。吊り干乾燥動作は、通常乾燥モードと、通常乾燥モードより強風とした高速乾燥モードとを有し、ユーザにより選択されるようにすることが望ましい。より強い風を衣類に当てることにより、乾燥時間を短縮できるとともに、衣類に引張力を加えて皺をさらに抑制できる。そして、衣類の皺が低減されることで、乾燥後の衣類のアイロン掛け等の処理を省略することもできる。
【００５１】
次に、支持部１８、１９について詳しく説明する。図２は、蓋部１５の内側の正面図であり、図３は、その左側面図である。図４は図３において支持部１８、１９を使用状態にした図である。図５は、挟持部の左側面図である。
【００５２】
支持部１８、１９は、蓋部１５の内側にヒンジ機構によって回動可能となるように取り付けられており、該回動によって蓋部１５に沿った収納状態（図２、図３の状態）と蓋部１５から突出した使用状態（図４の状態）とを取り得る。そして、支持部１８、１９は、使用状態で乾燥対象物を支持し、使用状態で蓋部１５を開閉した場合に上面板１１等の他の部材に接触しないように構成されている。よって、吊り干乾燥の構造部分である支持部１８、１９は、収納状態では洗濯工程の邪魔にならず、使用状態では蓋部１５の開閉動作の邪魔にならない。
【００５３】
支持部１８、１８は、蓋部１５を閉じた状態で水槽２０の中心より前方に一対（２つ）並設されている。一対の支持部１８、１８は洗濯乾燥機１の前面から見て左右方向に並んでいる。これにより、衣類が槽内に触れにくく、且つ十分な乾燥スペースを確保することができる。支持部１８は、蓋部１５の内側に設けられたヒンジ部１８ａと、一端がヒンジ部１８ａに枢支される棒状部材１８ｂと、棒状部材１８ｂの一側面に設けられ衣類を挟持して支持する挟持部１８ｃとを備えている。
【００５４】
一方、支持部１９、１９は、蓋部１５を閉じた状態で水槽２０の中心より後方に一対（２つ）並設されている。一対の支持部１９、１９は洗濯乾燥機１の前面から見て左右方向に並んでおり、その間隔は前方に位置する一対の支持部１８、１８の間隔より大きい。これにより、衣類が槽内に触れにくく、且つ十分な乾燥スペースを確保することができる。
【００５５】
また、支持部１９は、蓋部１５の内側に設けられた第１ヒンジ部１９ａと、一端が第１ヒンジ部１９ａに枢支される第１棒状部材１９ｂと、第１棒状部材１９ｂの他端に設けられた第２ヒンジ部１９ｃと、第１棒状部材１９ｂの対向する側面に沿って一対設けられ、それぞれの一端が第２ヒンジ部１９ｃに枢支される第２棒状部材１９ｄと、第２棒状部材１９ｄの一側面に設けられ衣類を挟持して支持する挟持部１９ｅとを備えている。支持部１９は支持部１８より長く形成されている。これにより、様々な長さの乾燥対象物を槽底に触れさせずに支持できる。
【００５６】
そして、図３に示すような、支持部１８が蓋部１５の内面と略平行な収納状態から、棒状部材１８ｂの先端付近を持って下方に略９０°回動させることで、図４に示すような、棒状部材１８ｂが蓋部１５から略垂直に突出した使用状態とすることができる。棒状部材１８ｂは、図４の状態で係止され、それより下方には回動しない機構になっている。
【００５７】
また、図３に示すような、支持部１９が蓋部１５の内面と略平行な収納状態から、第２ヒンジ部１９ｃ付近を持って第１及び第２棒状部材１９ｂ、１９ｄを一緒に下方に略９０°回動させ、続いて、第２棒状部材１９ｄの先端付近を持って上方側に略１８０°回動させることで、図４に示すような、第１及び第２棒状部材１９ｂ、１９ｄが蓋部１５から略垂直に直線状に突出した使用状態とすることができる。第１及び第２棒状部材１９ｂ、１９ｄは、図４の状態で係止され、それより下方には回動しない機構になっている。
【００５８】
使用状態において挟持部１８ｃ、１９ｅは、図４に示すように蓋部１５が開状態では支持部１８、１９の上面側に位置する。挟持部１８ｃ、１９ｅは、例えば、図５に示すようなバネで付勢されることで衣類を挟持するクリップ（洗濯ばさみ）であり、衣類の脱着が容易となっている。また、挟持部１８ｃ、１９ｅは、それぞれ棒状部材１８ｂ又は第１及び第２棒状部材１９ｂ、１９ｄに沿ってスライド可能となっており、様々な長さの衣類を槽底に触れずに支持することができる。なお、挟持部以外の構造であっても、支持部に衣類を吊すことができる構造であればよい。
【００５９】
そして、支持部１８、１９を使用状態にして蓋部１５を開閉した場合、図１に示すように、上面板１１等の他の部材に接触しないように、それぞれの長さが設計されている。したがって、支持部１８、１９に衣類を吊した状態で蓋部１５の開閉動作を行うことができ、使い勝手がよい。
【００６０】
なお、支持部は上記の形態に限定されることはなく、少なくとも、蓋部１５の内側に設けられ、蓋部１５に沿った収納状態と蓋部１５から突出した使用状態とを取り、該使用状態で乾燥対象物を支持し、該使用状態で蓋部１５を開閉した場合に他の部材に接触せず、複数備えられていればよい。
【００６１】
そして、蓋部１５を閉じた状態で、複数の支持部は、脱水槽３０の中心より前方と後方に位置することが好ましい。これにより、衣類が槽内に触れにくく、且つ十分な乾燥スペースを確保することができる。また、脱水槽３０の中心より後方に位置する支持部の長さが可変であることが好ましく、上記の実施形態の他に、例えば、第１及び第２棒状部材がスライドすることで長さを可変とするような構成であってもよい。これにより、よりコンパクトな収納状態とすることができる。
【００６２】
図６〜図８は、支持部１８、１９への衣類の吊り下げ方の一例を示す図である。図６では、一対の支持部１８、１８に衣類２が支持されており、一対の支持部１９、１９に衣類３が支持されている。図６では、挟持部１８ｃ、１９ｅの位置を変えることで、衣類２と衣類３の下端が揃えられているが、それらの上端を揃えるようにしてもよい。
【００６３】
図７では、４つの支持部１８、１９を使って衣類４が支持されている。４つの挟持部１８ｃ、１９ｅでそれぞれ衣類４の裾を挟持して衣類４を逆さ吊りにしている。このように、衣類４を逆さ吊りで乾燥することにより、ハンガーに掛けて乾燥するときに生じる衣類４の肩部分の型崩れを回避できる。また、衣類４の前身頃を一対の支持部１８、１８で支持し、後身頃を一対の支持部１９、１９で支持することで、衣類４の前身頃と後身頃とが重ならないように筒状に保持している。このように、衣類４の生地が重ならないようにして乾燥することにより、衣類４の内側にも乾燥風を当てることができ、厚手の生地であっても短時間で乾燥させることができる。
【００６４】
図８では、４つの支持部１８、１９を使って衣類５が支持されている。衣類５は大人用の長ズボン等の長尺物である。衣類５の裾をそれぞれ支持部１８、１８で支持し、腰部分を一対の支持部１９、１９で支持することで、衣類５を折りたたむことなく、槽底に支えないようにしている。このように、衣類５の長手方向の端部をそれぞれ支持することにより、衣類５が槽底に接触して乾燥風が当たりにくくなるのを防ぎ、折りたたんで内側に乾燥風が当たらなくなることも防ぎ、均一に乾燥させることができるので、短時間で乾燥させることができる。
【００６５】
このように、１つの衣類を複数の支持部で支持することにより、衣類を広げた状態で乾燥することができるため、洗濯物の乾燥皺を抑え、短時間で乾燥できる。
【００６６】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００６７】
本発明は、上方に開口した開口部を開閉する蓋部を有する洗濯乾燥機に利用することができる。
【符号の説明】
【００６８】
１    洗濯乾燥機
２〜５    衣類
１０    外箱（外筐部の一部）
１１    上面板（外筐部の一部）
１１ａ    出入口（開口部）
１４    バックパネル
１５    蓋部
１５ａ    ヒンジ部
１７    連結部品
１８、１９    支持部
１８ａ    ヒンジ部
１８ｂ    棒状部材
１８ｃ、１９ｅ    挟持部
１９ａ    第１ヒンジ部
１９ｂ    第１棒状部材
１９ｃ    第２ヒンジ部
１９ｄ    第２棒状部材
２０    水槽
２０ａ    水槽カバー
２１    サスペンション部材
３０    脱水槽（槽部の一部）
３１    脱水孔
３２    バランサ
３３    パルセータ
４０    駆動ユニット
４１    モータ
４２    ベルト
４３    クラッチ・ブレーキ機構
４４    脱水軸
４５    パルセータ軸
６０    排水ホース
６１    排水ダクト
６２    排水孔
６３    排水弁
【図１】
2013172822.tif 000003
【図２】
2013172822.tif 000004
【図３】
2013172822.tif 000005
【図４】
2013172822.tif 000006
【図５】
2013172822.tif 000007
【図６】
2013172822.tif 000008
【図７】
2013172822.tif 000009
【図８】
2013172822.tif 000010